(57)【要約】発明されるバッテリーが具備されたストラップ付き着用可能な携帯用端末機は、画像が表示される画面と、前記画面の背面として被着用部と対向する後面を有するディスプレーと、前記ディスプレーの両側にそれぞれ結合されて、前記ディスプレーを前記被着用部に固定させるストラップと、前記ストラップの長さ方向に沿って順に配置され、前記ストラップに着脱可能に具備される複数の単位電源から構成される電源ユニットであって、前記複数の単位電源は互いに並列連結されて、前記ディスプレーに電源を供給する電源ユニットとを含む。
2018519689.tif 000002
【特許請求の範囲】
【請求項１】
画像が表示される画面と、前記画面の背面として被着用部と対向する後面を有するディスプレーと、
前記ディスプレーの両側にそれぞれ結合され、前記ディスプレーを前記被着用部に固定させるストラップと、
前記ストラップの長さ方向に沿って順に配置され、前記ストラップに着脱可能に具備される複数の単位電源から構成される電源ユニットであって、前記複数の単位電源は互いに並列連結されて、前記ディスプレーに電源を供給する電源ユニットと、を含むことを特徴とするバッテリーが具備されたストラップ付き着用可能な携帯用端末機。
【請求項２】
前記ディスプレーの側面一側に具備され、前記ディスプレーの前記画面または前記背面の中のいずれか一つと平行な方向に向かうように配置される撮影ユニットをさらに含むことを特徴とする請求項１に記載のバッテリーが具備されたストラップ付き着用可能な携帯用端末機。
【請求項３】
前記ディスプレーは、前記画面と前記電源ユニットから供給される電源によって前記画面に表示される画像を制御する回路ユニットがその厚さ方向で積層配置されることを特徴とする請求項１に記載のバッテリーが具備されたストラップ付き着用可能な携帯用端末機。
【請求項４】
前記ディスプレーは、前記後面が前記被着用部に密着するように設定された第１曲率を有するように曲げられることを特徴とする請求項１に記載のバッテリーが具備されたストラップ付き着用可能な携帯用端末機。
【請求項５】
前記画面と対向するように配置されて画像が表示される画面拡張面を有し、一端が前記ディスプレーの一側にヒンジ結合される拡張ディスプレーをさらに含むことを特徴とする請求項１ないし請求項４の中の何れか一項に記載のバッテリーが具備されたストラップ付き着用可能な携帯用端末機。
【請求項６】
前記画面及び前記画面と対向するように配置され、画像が表示される画面拡張面は、互いに重なった状態で互いに密着されるように同じ曲率を有することを特徴とする請求項５に記載のバッテリーが具備されたストラップ付き着用可能な携帯用端末機。
【請求項７】
前記拡張ディスプレーは、前記画面拡張面の裏面に具備され、画像が表示される補助表示部をさらに含むことを特徴とする請求項５に記載のバッテリーが具備されたストラップ付き着用可能な携帯用端末機。
【請求項８】
前記複数の単位電源は、互いに分離して具備され、一側に相互間に電源連結のための電源端子を有し、前記ストラップは、前記複数の単位電源がそれぞれ結合される複数の電源装着部であって、それぞれは前記電源端子と電気的に接続されて、互いに隣接した二つの単位電源を電気的に連結する接続端子を有する複数の電源装着部を有することを特徴とする請求項１に記載のバッテリーが具備されたストラップ付き着用可能な携帯用端末機。
【請求項９】
前記ストラップは、前記被着用部を囲むように柔軟な材質で具備される胴体と、前記胴体の外面から突出して具備されて硬質の材質で具備される複数の電源装着部とを有することを特徴とする請求項８に記載のバッテリーが具備されたストラップ付き着用可能な携帯用端末機。
【請求項１０】
前記被着用部は、人体の腕と脚に限定されず、人体の一部ならどこでも可能であることを特徴とする請求項１にバッテリーが具備されたストラップ付き着用可能な携帯用端末機。
【発明の詳細な説明】
【技術分野】
【０００１】
本発明(Ｄｉｓｃｌｏｓｕｒｅ)は、バッテリーが具備されたストラップ付き着用可能な携帯用端末機に関するものであって、さらに詳しくは、電源の大きさ(容量)、画面の大きさを拡大して従来の問題点を解決し、着用する人体の曲面に合わせて画面に曲率を付与することができるバッテリーが具備されたストラップ付き着用可能な携帯用端末機に関する。
【背景技術】
【０００２】
ここでは、本発明に係る背景技術が提供され、これらが必ずしも公知技術を意味するものではない(Ｔｈｉｓ ｓｅｃｔｉｏｎ ｐｒｏｖｉｄｅｓ ｂａｃｋｇｒｏｕｎｄ ｉｎｆｏｒａｍａｔｉｏｎ ｒｅｌａｔｅｄ ｔｏ ｔｈｅ ｐｒｅｓｅｎｔ ｄｉｓｃｌｏｓｕｒｅ ｗｈｉｃｈ ｉｓ ｎｏｔ ｎｅｃｅｓｓａｒｉｌｙ ｐｒｉｏｒ ａｒｔ)。
【０００３】
最近、携帯電話、ＰＤＡなどのような携帯用端末機は、手首、足首や人体の頭部(ｈｅａｄ ｐｏｒｔｉｏｎ)に着用できる製品が登場しているが、電源の大きさに限りがあり、画面の大きさ及び使用時間に不便が増している。
【０００４】
これに関して、韓国公開特許第１０-２０１５-００２６０８２号は、多数の単位ケースフレームが互いに対して連動可能に設けられるケースフレームと、前記ケースフレームの内部空間に配置されるが、所定間隔を有するように多数の単位基板が曲げられ得る電気的連結手段によって電気的に連結される基板と、前記ケースフレームの内部空間に配置されるが、所定間隔を有するように多数の単位バッテリーセルが曲げられ得る電気的連結手段によって電気的に連結されるバッテリーパック及び前記ケースフレームの一部に露出可能に設けられる曲がることができるディスプレー装置が開示されている。
【０００５】
これによれば、電子装置全体が自由に曲げられ、曲がった状態が保持されることができるように具現され、別途のストラップなしに人体または各種構造物に着用可能であり、デザイン的美麗さを提供することができ、使用者に使用の便宜性を提供することができる。
【０００６】
しかし、この場合、着用のために曲がった状態を保持するための構造(図１の１２)が複雑であり、その動作の信頼性に疑問がある。
【発明の概要】
【発明が解決しようとする課題】
【０００７】
本発明は、電源の大きさ(容量)、画面の大きさを拡大して従来の問題点を解決し、着用する人体の曲面に合わせて画面に曲率を付与することができるバッテリーが具備されたストラップ付き着用可能な携帯用端末機の提供を一目的とする。
【課題を解決するための手段】
【０００８】
ここでは、本発明の全体的な要約(Ｓｕｍｍａｒｙ)が提供され、これが本発明の外延を制限するものに理解されてはならない(Ｔｈｉｓ ｓｅｃｔｉｏｎ ｐｒｏｖｉｄｅｓ ａ ｇｅｎｅｒａｌ ｓｕｍｍａｒｙ ｏｆ ｔｈｅ ｄｉｓｃｌｏｓｕｒｅ  ａｎｄ ｉｓ ｎｏｔ ａ ｃｏｍｐｒｅｈｅｎｓｉｖｅ ｄｉｓｃｌｏｓｕｒｅ ｏｆ ｉｔｓ ｆｕｌｌ ｓｃｏｐｅ ｏｒ ａｌｌ ｏｆ ｉｔｓ ｆｅａｔｕｒｅｓ)。
【０００９】
上記の課題を解決すべく、本発明の一態様(ａｓｐｅｃｔ)によるバッテリーが具備されたストラップ付き着用可能な携帯用端末機は、画像が表示される画面と、前記画面の背面として被着用部と対向する後面を有するディスプレーと、前記ディスプレーの両側にそれぞれ結合され、前記ディスプレーを前記被着用部に固定させるストラップと、前記ストラップの長さ方向に沿って順に配置され、前記ストラップに着脱可能に具備される複数の単位電源から構成される電源ユニットであって、前記複数の単位電源は互いに並列連結されて、前記ディスプレーに電源を供給する電源ユニットとを含む。
【００１０】
本発明の一態様(ａｓｐｅｃｔ)によるバッテリーが具備されたストラップ付き着用可能な携帯用端末機は、前記ディスプレーの側面一側に具備され、前記ディスプレーの前記画面または前記背面の中のいずれか一つと平行する方向に向けて配置される撮影ユニットをさらに含むことができる。
【００１１】
また、本発明の一態様(ａｓｐｅｃｔ)によるバッテリーが具備されたストラップ付き着用可能な携帯用端末機は、前記ディスプレーが、前記画面と前記電源ユニットから供給される電源によって前記画面に表示される画像を制御する回路ユニットがその厚さ方向に積層配置されることに提供されることができる。
【００１２】
また、本発明の一態様(ａｓｐｅｃｔ)によるバッテリーが具備されたストラップ付き着用可能な携帯用端末機は、前記ディスプレーの前記後面が前記被着用部に密着されるように設定された第１曲率を有するように曲がったことに提供されることができる。
【００１３】
また、本発明の一態様(ａｓｐｅｃｔ)によるバッテリーが具備されたストラップ付き着用可能な携帯用端末機は、前記ディスプレーの前記画面が第２曲率を有するように提供されることができる。
【００１４】
また、本発明の一態様(ａｓｐｅｃｔ)によるバッテリーが具備されたストラップ付き着用可能な携帯用端末機は、前記画面と対向するように配置され、画像が表示される画面拡張面を有し、一端が前記ディスプレーの一側にヒンジ結合される拡張ディスプレーをさらに含むことができる。
【００１５】
また、本発明の一態様(ａｓｐｅｃｔ)によるバッテリーが具備されたストラップ付き着用可能な携帯用端末機は、前記拡張ディスプレーが、前記画面拡張面の裏面に具備され、画像が表示される補助表示部をさらに含むことができる。
【００１６】
また、本発明の一態様(ａｓｐｅｃｔ)によるバッテリーが具備されたストラップ付き着用可能な携帯用端末機は、前記複数の単位電源が、互いに分離して具備され、一側に相互間に電源連結のための電源端子を有し、前記ストラップが前記複数の単位電源がそれぞれ結合される複数の電源装着部として、それぞれは前記電源端子と電気的に接続され、互いに隣接する二つの単位電源を電気的に連結する接続端子を有する、複数の電源装着部を有するものとして提供されることができる。
【００１７】
また、本発明の一態様(ａｓｐｅｃｔ)によるバッテリーが具備されたストラップ付き着用可能な携帯用端末機は、前記ストラップが、前記被着用部を囲むように柔軟な材質で具備される胴体と、前記胴体の外面から突出して具備され、硬質の材質で具備される複数の電源装着部とを有するものとして提供されることができる。
【発明の効果】
【００１８】
本発明によれば、複数の単位電源が相対的に面積が大きいストラップに配置されるため、電源容量を大きく増大させることができる。したがって、画面の大きさ及び使用時間を向上させることができる。
【００１９】
本発明によれば、撮影ユニットをディスプレーの幅方向と平行な方向に配置されるため、絞りの後方領域が長くなり、ズーム機能の高倍率化が可能になる。
【００２０】
本発明によれば、電源供給源であるバッテリーが本体外に配置され、本体外に延長された電源供給線によって複数のバッテリーが並列連結されるため、本体の使用時間を増やして厚さを薄くすることができるようになる。
【００２１】
本発明によれば、バッテリー抜きの本体の形状に曲率を与え、外部に並列連結された複数のバッテリーが腕輪のように構成されるため、身体の一部である腕、脚に付着して着用することができるようになる。
【００２２】
本発明によれば、本体の画面のような曲率形状の拡張ディスプレーが、本体の一側にヒンジ結合されるため、画面の大きさを拡大することができて、使用者視覚の負担を減らし、本体を保護することができる蓋の効果を奏することができる。
【図面の簡単な説明】
【００２３】
【図１】従来の着用可能な携帯用端末機を示す図面である。
【図２】本発明によるバッテリーが具備されたストラップ付き着用可能な携帯用端末機の第１実施形態を示す図面である。
【図３】図２のバッテリーが具備されたストラップ付き着用可能な携帯用端末機の断面を示す図面である。
【図４】図２で電源装着部を拡大して示す図面である。
【図５】図２のバッテリーが具備されたストラップ付き着用可能な携帯用端末機の変形されたデザインを示す図面である。
【図６】図２でディスプレーと電源ユニットの電気的な連結構造を説明するための図面である。
【図７】本発明によるバッテリーが具備されたストラップ付き着用可能な携帯用端末機の第２実施形態を示す図面である。
【図８】図７のバッテリーが具備されたストラップ付き着用可能な携帯用端末機の変形されたデザインを示す図面である。
【発明を実施するための形態】
【００２４】
以下、本発明によるバッテリーが具備されたストラップ付き着用可能な携帯用端末機を具現した多様な実施形態を、図面を参照しながら説明する。
【００２５】
ただ、本発明の思想は、以下で説明される実施形態によってその実施可能な形態が制限されるとはいえず、本発明の思想を理解する通常の技術者は、本発明と等しい技術的思想の範囲内に含まれる多様な実施形態を置換または変更の方法で容易に提案することができるといえるが、これもまた本発明の技術的思想に含まれることを明らかにする。
【００２６】
また、以下で使われる用語は、説明の便宜のために選択したものであるため、本発明の技術的内容を把握するにおいて、辞書的意味に制限されず、本発明の技術的思想に符合する意味に適切に解釈されなければならないといえる。
【００２７】
図２は、本発明によるバッテリーが具備されたストラップ付き着用可能な携帯用端末機の第１実施形態を示す図面であり、図３は、図２のバッテリーが具備されたストラップ付き着用可能な携帯用端末機の断面を示す図面であり、図４は、図２で電源装着部を拡大して示す図面であり、図５は、図２のバッテリーが具備されたストラップ付き着用可能な携帯用端末機の変形されたデザインを示す図面であり、図６は、図２でディスプレーと電源ユニットとの電気的な連結構造を説明するための図面である。
【００２８】
先ず、図２〜図５によれば、本実施形態によるバッテリーが具備されたストラップ付き着用可能な携帯用端末機１００は、ディスプレー１１０、ストラップ１２０、複数の単位電源１３１から構成される電源ユニット１３０を含む。
【００２９】
ディスプレー１１０は、画像が表示される画面１１１と、画面の背面として被着用部と対向する後面１１２を有する板状に形成される。
【００３０】
被着用部は、人体の手首が一般的であるが、足首、腕などであっても良いのは勿論である。
【００３１】
さらに、被着用部は、人体の腕と脚に限定されず、人体の一部ならどこでも可能である。
【００３２】
一方、ディスプレー１１０は、人が着れる服や帽子の一部に設けることができる。
【００３３】
ディスプレー１１０は、板状の外形を形成して、内部に収容空間を有するケースとケースの一面に配置される画面１１１とから構成されることができる。
【００３４】
画面１１１は、ＬＣＤ、ＯＬＥＤなどで具備されることができる。
【００３５】
ディスプレー１１０は、画面１１１と電源ユニット１３０から供給される電源によって画面１１１に表示される画像を制御する回路ユニット１１０ｃがその厚さ方向に積層して配置される。
【００３６】
一方、ディスプレー１１０は、後面１１２が被着用部に密着されるように設定された第１曲率を有して曲がるように具備されることが好ましい。
【００３７】
さらに、画面１１１が第２曲率を有するように具備されることが好ましい。
【００３８】
ここで、第１、２の曲率は、同一の曲率で具備されることができる。
【００３９】
一方、本実施形態において、ディスプレー１１０の側面一側に具備され、ディスプレー１１０の画面１１１または後面１１２の中のいずれか一つと平行な方向に向かうように配置される撮影ユニット１１３をさらに含むことができる。
【００４０】
これによれば、撮影ユニット１１３が従来のディスプレー１１０の厚さ方向でないディスプレーの長手方向または幅方向と平行な方向に配置されるため、絞りの後方領域が長くなり、ズーム機能の高配率化が可能になる。
【００４１】
ストラップ１２０は、ディスプレー１１０を被着用部に固定させる機能をする。
【００４２】
ストラップ１２０は、その両端がディスプレー１１０の両側にそれぞれ結合されて具備される。
【００４３】
ストラップ１２０は、相互締結可能に具備される二つの単位ストラップに分離されて具備されることができ、この場合、二つの単位ストラップはそれぞれの末端がディスプレー１１０の両側にそれぞれ結合される。この結合は、ヒンジ結合で具備されることが好ましい。
【００４４】
電源ユニット１３０は、複数の単位電源１３１から構成される。
【００４５】
複数の単位電源１３１は、それぞれストラップ１２０の長手方向に沿って順に配置され、ストラップ１２０に着脱可能に具備される。
【００４６】
一方、図６によれば、複数の単位電源１３１は互いに並列連結されて、ディスプレー１１０に電源を供給する。
【００４７】
並列連結によって、いずれか一つの単位電源が放電した状態でも電源の供給が円滑に行われることができる。それによれば、複数の単位電源１３１の中、放電された単位電源のみを別途に分離して充電することができるようになる。
【００４８】
また、並列連結によって、供給される電源の大きさも一定に保持することができるようになる。
【００４９】
互いに分離して具備される複数の単位電源１３１は、一側に相互間に電源連結のための電源端子１３１ａを有する。
【００５０】
ストラップ１２０は、複数の単位電源１３１がそれぞれ結合される複数の電源装着部１２３を有する。
【００５１】
複数の電源装着部１２３それぞれは電源端子１３１ａと電気的に接続され、互いに隣接する二つの単位電源を電気的に連結する接続端子１２３ａを有する。
【００５２】
図６にて、１２０ａは、接続端子１２３ａを互いに電気的に連結させる電源線としてストラップ１２０に具備される。また、ディスプレー１１０の内部に構成される１１５はメモリチップ(ｍｅｍｏｒｙ ｃｈｉｐ)、１１６は駆動チップ(ａｃｔｉｏｎ ｃｈｉｐ)、１１７は認識チップ(ａｗａｒｅｎｅｓｓ ｃｈｉｐ)、１１８は制御チップ(ｃｏｎｔｒｏｌ ｃｈｉｐ)を意味し、１１０ａはディスプレー１１０の電源スイッチを意味する。
【００５３】
一方、本実施形態において、ストラップ１２０は、被着用部を囲むように柔軟な材質で具備される胴体と、胴体の外面から突出して具備され、硬質の材質で具備される複数の電源装着部１２３とを有する。
【００５４】
さらに、ディスプレー１１０の内部からバッテリーが取り除かれるため、ディスプレー１００の内部空間として採用することができるメモリーなどの動作部品数を増やすことができる。その結果、携帯用端末機の機能を向上させたり、大容量化させたりすることが可能になる。
【００５５】
また、ディスプレー１１０の内部からバッテリーが取り除かれるため、ディスプレー１１０の厚さを薄く形成することが可能となり、曲率を付与することがが非常に容易になる。
【００５６】
一方、図７は、本発明によるバッテリーが具備されたストラップ付き着用可能な携帯用端末機の第２実施形態を示す図面であり、図８は、図７のバッテリーが具備されたストラップ付き着用可能な携帯用端末機の変形されたデザインを示す図面である。
【００５７】
本実施形態によるバッテリーが具備されたストラップ付き着用可能な携帯用端末機１００の説明に関して、上述した第１の実施形態と重複する構成に対しては同一の図面符号を付与し、それに関する詳しい説明は上述した第１実施形態での説明に代えて、以下では略し、上述した第１実施形態と異なる又は追加される構成についてのみ説明することとする。
【００５８】
先に、図６及び図７によれば、本実施形態は、拡張ディスプレー１４０が追加される点で上述した第１の実施形態と差がある。
【００５９】
本実施形態において、拡張ディスプレー１４０は、画面１１１と対向するように配置されて画像が表示される画面拡張面１４１を有し、一端がディスプレー１１０の一側にヒンジ結合される。
【００６０】
一方、拡張ディスプレー１４０は、画面拡張面１４１の裏面に具備され、画像が表示される補助表示部１４２をさらに含むことが好ましい。
【００６１】
補助表示部１４２は、拡張ディスプレー１４０を開けないままで時計、日付、受信内容などのような状態情報を確認することができるように助けてくれる。
【００６２】
図６にて１４０ｃは、画面拡張面１４１と補助表示部１４２に表示される画像を制御する回路ユニットを意味する。
【図１】
2018519689.tif 000003
【図２】
2018519689.tif 000004
【図３】
2018519689.tif 000005
【図４】
2018519689.tif 000006
【図５】
2018519689.tif 000007
【図６】
2018519689.tif 000008
【図７】
2018519689.tif 000009
【図８】
2018519689.tif 000010
【国際調査報告】
2018519689.tif 000011
2018519689.tif 000012
2018519689.tif 000013
2018519689.tif 000014